(57)【要約】【課題】広範囲の入力エネルギーに対して、制振効果を発揮する。【解決手段】制振装置１００は、小さな入力エネルギーに対して制振効果を発揮するように設計された第一付加マスダンパー（緑化ダンパー）２００と、第一付加マスダンパー２００の緑化構造体（付加マス）２２０の動きが抑制される大きな入力エネルギーレベル近くなると制振効果を発揮するように設計された第二付加マスダンパー（ヘリポートダンパー）３００と、を設けることによって、台風などの暴風雨の風揺れから震度７程度の大地震までの広い揺れの範囲に対して制振効果をする。【選択図】図２
2015014150.tif 000002
【特許請求の範囲】
【請求項１】
構造物に設けられ、制振効果を発揮する入力エネルギーの大きさが異なる複数の付加マスダンパーと、
入力エネルギーが大きくなるに従い、制振効果を発揮する入力エネルギーが小さい順に前記付加マスダンパーを構成する付加マスの動きを抑制する抑制手段と、
を備える制振装置。
【請求項２】
前記構造物は、平面視において短軸方向と長軸方向とを有する形状とされ、
前記付加マスダンパーを構成する前記付加マスの振動方向は、前記短軸方向に沿うように設定され、
前記長軸方向の両外側端部に制振効果を発揮する入力エネルギーが最も小さい前記付加マスダンパーがそれぞれ設けられ、前記長軸方向の中央部に制振効果を発揮する入力エネルギーが最も大きい前記付加マスダンパーが設けられている、
請求項１に記載の制振装置。
【請求項３】
複数の前記付加マスダンパーの少なくとも一つは、植物が植えられた緑化構造体で前記付加マスが構成され、
複数の前記付加マスのダンパーの少なくとも一つは、前記緑化ダンパーよりも質量が大きいヘリポートで前記付加マスが構成されている、
請求項１又は請求項２に記載の制振装置
【発明の詳細な説明】
【技術分野】
【０００１】
本発明は、制振装置に関する。
【背景技術】
【０００２】
特許文献１には、建築構造物の本体の上部に弾性材からなる支持体が設置され、この支持体に植物の植え込まれた緑化構造体が支持された制震構造が開示されている。
【０００３】
特許文献２には、植物を植生できる土壌から成る同調質量を減衰機構で支持して建物の上部に配置した制震緑化建物が開示されている。
【０００４】
ここで、台風等の強風による風揺れに対して制振効果を発揮する付加マスダンパーは、小さな入力エネルギー（加速度）に対して付加マスが適正な振幅で振動するように設計する必要がある。しかし、このように設計された付加マスダンパーは、大地震時の大きな入力エネルギー（加速度）に対しては付加マスが過大に振動するため振幅を抑える必要があり制振効果が発揮されない。
【０００５】
一方、大地震時の大きな入力エネルギー（加速度）に対して制振効果を発揮する付加マスダンパーは、大きな入力エネルギー（加速度）に対して付加マスが適正な振幅で振動するように設計する必要がある。しかし、このように設計された付加マスダンパーは、台風等の強風による風揺れ時の小さな入力エネルギー（加速度）に対しては付加マスが殆ど振動しないため制振効果が得られない。
【０００６】
つまり、小さな入力エネルギーに対して制振効果を発揮するように設計された付加マスダンパーは、大きな入力エネルギーに対しては制振効果を発揮しない。一方、大きな入力エネルギーに対して制振効果を発揮するように設計された付加マスダンパーは、小さな入力エネルギーに対しては制振効果を発揮しない。
【先行技術文献】
【特許文献】
【０００７】
【特許文献１】特開平６−１４６６５６号公報
【特許文献２】特開２００１−３３６３０７号公報
【発明の概要】
【発明が解決しようとする課題】
【０００８】
本発明は、上記事実を鑑み、広範囲の入力エネルギーに対して、制振効果を発揮することができる制振装置を提供することが課題である。
【課題を解決するための手段】
【０００９】
請求項１の発明は、構造物に設けられ、制振効果を発揮する入力エネルギーの大きさが異なる複数の付加マスダンパーと、入力エネルギーが大きくなるに従い、制振効果を発揮する入力エネルギーが小さい順に前記付加マスダンパーを構成する付加マスの動きを抑制する抑制手段と、を備える。
【００１０】
請求項１に記載の発明では、構造物に加わる外乱が小さく（揺れが小さく）、制振装置に作用する入力エネルギーが小さい場合は、小さな入力エネルギーで制振効果を発揮する付加マスダンパーが制振効果を発揮して構造物を制振する。
【００１１】
一方、構造物に加わる外乱が大きく（揺れが大きく）、制振装置に作用する入力エネルギーが大きい場合は、小さな入力エネルギーで制振効果を発揮する付加マスダンパーは、抑制手段によって付加マスの動きが抑制される。しかし、大きな入力エネルギーで制振効果を発揮する付加マスダンパーが制振効果を発揮して構造物を制振する。
【００１２】
このように、本発明が適用された制振装置は、広範囲の入力エネルギーに対して、制振効果を発揮する。
【００１３】
請求項２の発明は、前記構造物は、平面視において短軸方向と長軸方向とを有する形状とされ、前記付加マスダンパーを構成する前記付加マスの振動方向は、前記短軸方向に沿うように設定され、前記長軸方向の両外側端部に制振効果を発揮する入力エネルギーが最も小さい前記付加マスダンパーがそれぞれ設けられ、前記長軸方向の中央部に制振効果を発揮する入力エネルギーが最も大きい前記付加マスダンパーが設けられている。
【００１４】
請求項２に記載の発明では、平面視において短軸方向と長軸方向とを有する形状の構造物は、長軸方向より短軸方向に揺れが大きくなるとと共に、ねじれ振動が発生する。
【００１５】
また、構造物に加わる外乱が小さい場合（揺れが小さい）は、ねじれ振動による居住性の悪化が問題となり、構造物に加わる外乱が大きい場合（揺れが大きい場合）は、ねじれ振動による居住性の悪化よりも短軸方向の水平振動の影響が大きい。
【００１６】
よって、小さな入力エネルギーで制振効果を開始する付加マスダンパーを長軸方向の両外側端部に設けることで、風荷重のような構造物に加わる外乱が小さな場合のねじれ振動を効果的に制振する。
【００１７】
また、大きな入力エネルギーで制振効果を開始する付加マスダンパーを長軸方向の中央部に設けることで、構造物に加わる外乱が大きな場合の短軸方向の水平振動の揺れを効果的に制振する。
【００１８】
請求項３の発明は、複数の前記付加マスダンパーの少なくとも一つは、植物が植えられた緑化構造体で前記付加マスが構成され、複数の前記付加マスのダンパーの少なくとも一つは、前記緑化ダンパーよりも質量が大きいヘリポートで前記付加マスが構成されている。
【００１９】
請求項３に記載の発明では、構造物に設けられた緑化構造体及びヘリポートを、それぞれ付加マスとして活用し、制振効果を発揮させる。
【発明の効果】
【００２０】
本発明によれば、広範囲の入力エネルギーに対して、制振効果を発揮することができる。
【図面の簡単な説明】
【００２１】
【図１】本発明の一実施形態の制振装置が屋上に設けられた構造物を示す斜視図である。
【図２】図１の構造物の屋上部分を拡大した拡大斜視図である。
【図３】本発明の一実施形態の制振装置を構成する第一付加マスダンパーを示すＹ方向に沿った縦断面図である。
【図４】本発明の一実施形態の制振装置を構成する第二付加マスダンパーを示すＹ方向に沿った縦断面図である。
【図５】（Ａ）は本発明の一実施形態の制振装置の第一付加マスダンパー及び第二付加マスダンパーを上方から見た場合の模式図であり、（Ｂ）は入力エネルギーが小さく構造物がねじれ振動している場合の制振効果を説明する説明図であり、（Ｃ）は入力エネルギーが大きく構造物がＹ方向（短軸方向）に水平振動している場合の制振効果を説明する説明図である。
【図６】図１に示す制振装置が屋上に設けられた構造物の振動モデルを示す図である。
【図７】本発明の一実施形態の制振装置の制振効果と入力エネルギーとの関係を説明する説明図である。
【図８】水平振動に関する性能評価曲線における制振装置の有無による揺れの改善を示すグラフである。
【図９】制振装置の有無による構造物の層間変形角の改善を示すグラフである。
【発明を実施するための形態】
【００２２】
＜実施形態＞
本発明の一実施形態の制振装置１００について説明する。
【００２３】
図１に示すように、構造物１０は、平面視における外形形状が長方形状の高層ビルである。なお、平面視における構造物１０の長軸方向（長辺方向、強軸方向）をＸ方向とし、短軸方向（短辺方向、弱軸方向）をＹ方向とし、鉛直方向をＺ方向とする。また、本実施形態における構造物１０の平面視における長軸方向（Ｘ方向）と短軸方向（Ｙ方向）との比は、３：１程度になっている。
【００２４】
また、本実施形態では、図示していないエレベータシャフトや避難階段等が配置されブレース（筋交）が設けられたコアスペースは、構造物１０における長軸方向（Ｘ方向）の中央部分で短軸方向（Ｙ方向）の外側部分の片側に集中して配置されている。よって、本実施形態の構造物１０は、ブレース（筋交）が、この狭小スペースに限定されているため、ねじれ剛性が低く、ねじれ変形が生じやすい構造となっている。
【００２５】
図１及び図２に示すように、構造物１０の屋上１２には、制振装置１００が設置されている。制振装置１００は、二つの第一付加マスダンパー（緑化ダンパー）２００と、一つの第二付加マスダンパー（ヘリポートダンパー）３００と、を有している。
【００２６】
構造物１０の屋上１２における制振装置１００（二つの第一付加マスダンパー２００及び一つの第二付加マスダンパー３００）以外の領域には、プラットホーム状のウッドデッキ１４が設けられている。
【００２７】
（第一付加マスダンパー）
図２に示すように、第一付加マスダンパー２００は、構造物１０の屋上１２におけるＸ方向（長軸方向）の両外側部分に配置されている（図５（Ａ）も参照）。
【００２８】
図３に示すように、第一付加マスダンパー２００は、基部２１０と、アイソレーターの一例としての複数の積層ゴム２５０と、エネルギー吸収手段の一例としてのロック機構付オイルダンパー２６０と、緑化構造体２２０と、を含んで構成されている。
【００２９】
緑化構造体２２０は、上部に凹部が形成された本体部２２２と、本体部２２２の凹部２２４に盛土された土壌２２６と、この土壌２２６に植え込まれた植物２２８（図２も参照）と、を含んで構成されている。また、緑化構造体２２０は、第一付加マスダンパー２００の質量ｍ１の付加マスを構成している（図６参照）。
【００３０】
基部２１０は、屋上１２の上面１２Ａに設けられ、この基部２１０の上に複数の積層ゴム２５０が設けられている。そして、複数の積層ゴム２５０の上に緑化構造体２２０が設けられている。
【００３１】
また、緑化構造体２２０の本体部２２２と基部２１０とにロック機構付オイルダンパー２６０が連結されている。
【００３２】
積層ゴム２５０は、ゴム板２５２と鋼板２５４とを厚み方向に交互に積層した構成とされている。なお、積層ゴム２５０は、このような構成に限定されない。他の構成の積層ゴムであってもよい。更に、積層ゴム以外のアイソレーター、例えば滑り支承であってもよい。
【００３３】
第一付加マスダンパー２００は、付加マスである緑化構造体２２０の振動方向（振幅方向）がＹ方向（短軸方向）となるように構成されている（図５（Ａ）を参照）。
【００３４】
また、第一付加マスダンパー２００は、台風等の強風による風揺れ等の構造物１０に加わる外乱が小さく（揺れが小さく）、第一付加マスダンパー２００への入力エネルギー（加速度）が小さい場合でも、付加マスである緑化構造体２２０が振動し制振効果を発揮するように、ロック機構付オイルダンパー２６０や緑化構造体（付加マス）２２０の質量ｍ１等の各種諸元が設定されている（図７も参照）。
【００３５】
また、震度４を超えるような中地震等による中程度の外乱が構造物１０に加わった場合に（具体的には、構造物１０の頂部（屋上１２）の加速度が２００ｇａｌ程度になった場合に）、緑化構造体２２０の振幅が限界変位１００ｃｍとなるように諸元が設定されている。そして、緑化構造体２２０の振幅が限界変位１００ｃｍを超えるとロック機構付オイルダンパー２６０のロック機構が作動し、緑化構造体２２０の振動が止まるように設定されている（図７も参照）。
【００３６】
また、二つの緑化構造体２２０の質量ｍ１の合計（ｍ１×２）は、構造物１０のねじれ１次モードの有効質量の１％程度となるように設定されている。更に、第一付加マスダンパー２００の緑化構造体２２０の周期は、構造物１０のねじり１次モード（図５（Ｂ）を参照）の周期と同調するように、各種諸元が設定されている。
【００３７】
（第二付加マスダンパー）
図２に示すように、第二付加マスダンパー３００は、構造物１０の屋上１２におけるＸ方向（長軸方向）の中央部分（二つの第一付加マスダンパー２００の間）に配置されている（図５（Ａ）も参照）。
【００３８】
図４に示すように、第二付加マスダンパー３００は、基部３１０と、アイソレーターの一例としての複数の積層ゴム３５０と、エネルギー吸収手段の一例としてのロック機構付オイルダンパー３６０と、ヘリポート（緊急離着陸場）３２０と、を含んで構成されている。
【００３９】
ヘリポート３２０は、上面３２２にヘリコプターが離着陸することが可能とされ、第二付加マスダンパー３００の質量ｍ２の付加マスを構成している（図６参照）。なお、ヘリコプターが上空でホバリングするヘリポート（緊急救助用スペース）であってもよい。
【００４０】
基部３１０は、屋上１２の上面１２Ａに設けられ、この基部３１０の上に複数の積層ゴム３５０が設けられている。そして、複数の積層ゴム３５０の上にヘリポート３２０が設けられている。
【００４１】
また、ヘリポート３２０と基部３１０とにロック機構付オイルダンパー３６０が連結されている。
【００４２】
積層ゴム３５０は、第一付加マスダンパー２００の積層ゴム２５０（図３参照）と同様に、ゴム板３５２と鋼板３５４とを厚み方向に交互に積層した構成とされている。なお、積層ゴム３５０は、このような構成に限定されない。他の構成の積層ゴムであってもよい。更に、積層ゴム以外のアイソレーター、例えば滑り支承であってもよい。
【００４３】
第二付加マスダンパー３００は、付加マスであるヘリポート３２０の振動方向（振幅方向）がＹ方向（短軸方向）となるように構成されている（図５（Ａ）を参照）。
【００４４】
第二付加マスダンパー３００は、台風等の強風による風揺れ等の構造物１０に加わる外乱が小さく（揺れが小さく）、第二付加マスダンパー３００への入力エネルギー（加速度）が小さい場合は、付加マスであるヘリポート３２０が振動しない、又は殆ど振動しないように、ロック機構付オイルダンパー３６０やヘリポート（付加マス）３２０の質量ｍ２等の各種諸元が設定されている。つまり、第二付加マスダンパー３００は、台風等の強風による風揺れ等の小さな入力エネルギー（加速度）では制振効果を発揮しないように、各種諸元が設定されている（図７も参照）。
【００４５】
しかし、震度４を超えるような中地震等による中程度の外乱が構造物１０に加わった場合（具体的には、構造物１０の頂部（屋上１２）の加速度が２００ｇａｌ程度になった場合）、付加マスであるヘリポート３２０が振動し制振効果を発揮するように、ロック機構付オイルダンパー３６０やヘリポート（付加マス）３２０の質量ｍ２等の各種諸元が設定されている（図７も参照）。
【００４６】
また、震度７を超えるような巨大地震等による大きな外乱が構造物１０に加わった場合に、ヘリポート３２０の振幅が限界変位１００ｃｍとなるように各種諸元が設定されている。そして、ヘリポート３２０の振幅が限界変位１００ｃｍを超えるとロック機構付オイルダンパー３６０のロック機構が起動し、ヘリポート３２０の振動を止めるように各種諸元が設定されている（図７も参照）。
【００４７】
また、ヘリポート３２０の質量ｍ２は、構造物１０のＹ方向の１次モードの有効質量の２％程度となるように設定されている。更に、第二付加マスダンパー３００のヘリポート３２０の周期は、構造物１０のＹ方向の１次モード（図５（Ｃ）を参照）の周期と同調するように、各種諸元が設定されている。
【００４８】
なお、ヘリポート３２０にヘリコプターが離着陸する際に、ヘリコプターの離着陸の衝撃でヘリポート３２０が移動しないようにヘリポート３２０を基部３１０や屋上１２等に固定する固定機構が設けられていてもよい。
【００４９】
ここで、構造物１０の質量をＭ、第一付加マスダンパー２００の緑化構造体（付加マス）２２０の質量をｍ１、第二付加マスダンパー３００のヘリポート（付加マス）３２０の質量をｍ２とすると、
Ｍ＞ｍ２＞ｍ１
の関係となっている。
【００５０】
また、図６は、構造物１０の屋上１２（図１及び図２参照）に、制振装置１００を構成する二つの第一付加マスダンパー２００と一つの第二付加マスダンパー３００とを設けた構造の振動モデルである。なお、Ｋは構造物１０のバネ定数を、ｋ１は第一付加マスダンパー２００のバネ定数を、ｋ２は第二付加マスダンパーのバネ常数を、それぞれ示している。
【００５１】
＜作用及び効果＞
つぎに、本実施形態の作用及び効果について説明する。
【００５２】
図５（Ｂ）に示すように、風荷重のような構造物１０に加わる外乱が小さく（揺れが小さく）、制振装置１００（第一付加マスダンパー２００及び第二付加マスダンパー３００）に作用する入力エネルギーが小さい場合は、第一付加マスダンパー２００の緑化構造体２２０が振動し、制振効果を発揮する。この結果、構造物１０が制振される（図７も参照）。
【００５３】
一方、第二付加マスダンパー３００のヘリポート３２０は、振動しない又は殆ど振動しないので、制振効果を発揮しない（図７も参照）。
【００５４】
ここで、本実施形態の構造物１０は、長軸方向よりも短軸方向に揺れが大きくなると共に、ねじれ振動（変形）が発生する。特に本実施形態では、前述したように、ブレース（筋交）が、狭小スペースに限定されているため、ねじれ剛性が小さく、ねじれ変形が生じやすい。
【００５５】
そして、風荷重のように構造物１０に加わる外乱が小さい場合（揺れが小さい）は、図５（Ｂ）に示すように、ねじれ振動による居住性の悪化が問題となる。
【００５６】
よって、本実施形態では、小さな入力エネルギーで制振効果を開始する第一付加マスダンパー２００を長軸方向の両外側端部に設けることで、風荷重のような構造物１０に加わる外乱が小さな場合のねじれ振動（揺れ）を効果的に制振して、ねじれ振動による居住性の悪化を効果的に抑制している。
【００５７】
更に、第一付加マスダンパー２００の緑化構造体２２０の振動の周期を、構造物１０のねじれ１次モードに同調するように各種諸元が設定されている。よって、更に効果的にねじれ振動による居住性の悪化が抑制される。
【００５８】
なお、本実施形態では、第一付加マスダンパー２００の減衰量は、予め定めた目標居住性能（日本建築学会「建築物の振動に関する居住性能評価指針」）が満足できる必要付加減衰を算定して設定されている。
【００５９】
図５（Ｃ）に示すように、震度４を超えるような中地震等による中程度の入力エネルギー（加速度）、具体的には、構造物１０の頂部（屋上１２）の加速度が２００ｇａｌ程度となると、緑化構造体２２０の振幅が限界変位１００ｃｍとなる。そして、緑化構造体２２０の振幅が限界変位１００ｃｍを超えるとロック機構付オイルダンパー２６０のロック機構（図３参照）が起動し、緑化構造体２２０の振動が止まり、構造物１０と一体となって振動する。つまり、第一付加マスダンパー２００は、制振効果を発揮しなくなる（図７も参照）。
【００６０】
しかし、第二付加マスダンパー３００のヘリポート３２０が振動し、制振効果を発揮し、構造物１０が制振される（図７も参照）。
【００６１】
なお、本実施形態では、第二付加マスダンパー３００の減衰量は、下記に示す動吸振器の最適減衰の数式で計算される目標値に設定されている（μは質量比）。
【００６２】
【数１】
2015014150.tif 000003
【００６３】
ここで、構造物１０に加わる外乱が大きい場合（揺れが大きい場合）は、図５（Ｂ）に示すねじれ振動による居住性の悪化よりも、図５（Ｃ）に示す短軸方向の水平振動の影響が大きい。
【００６４】
よって、大きな入力エネルギーで制振効果を開始する第二付加マスダンパー３００を長軸方向の中央部に設けることで、構造物１０に加わる外乱が大きな場合の短軸方向の水平振動の揺れを効果的に制振する。
【００６５】
更に、第二付加マスダンパー３００のヘリポート３２０の振動の周期を、構造物１０の短軸方向の１次モードに同調するように各種諸元が設定されている。よって、更に効果的に短軸方向の振動が抑制される。
【００６６】
また、震度７程度の大地震であっても、第二付加マスダンパー３００のヘリポート３２０が振動の振幅が限界変位である１００ｃｍ以下であるので、制振効果を発揮する（図７も参照）。
【００６７】
しかし、震度７を超えるような巨大地震等による巨大な入力エネルギー（加速度）が加わると、ヘリポート３２０の振幅が限界変位１００ｃｍを超える。よって、安全性を確保するためにロック機構付オイルダンパー３６０（図４参照）のロック機構が起動し、ヘリポート３２０の振動を止める（図７も参照）。
【００６８】
このように、制振装置１００は、広範囲の入力エネルギーに対して、制振効果を発揮するこができる。
【００６９】
つまり、図７に示すように、制振装置１００は、小さな入力エネルギーに対して制振効果を発揮するように設計された第一付加マスダンパー（緑化ダンパー）２００と、第一付加マスダンパー２００の緑化構造体（付加マス）２２０の動きが抑制される大きな入力エネルギーレベル近くなると制振効果を発揮するように設計された第二付加マスダンパー（ヘリポートダンパー）３００と、を設けることによって、台風などの強風による風揺れから震度７程度の大地震までの広い揺れの範囲に対して制振効果をする。
【００７０】
なお、図７では、制振装置１００の第一付加マスダンパー２００及び第二付加マスダンパー３００の左側が先細に図示されている。これは、本実施形態では、制振効果を発揮しない入力エネルギー（加速度）レベル以下でも、緑化構造体２２０及びヘリポート３２０は若干振動することを表している。
【００７１】
また、図７に示すように、更に広い揺れの範囲に対して制振効果を発揮するためや更に居住性を向上させるために、ハイブリット制振部材８１０、免震床８２０、床振動制御システム８３０等を設けてもよい。
【００７２】
（制振効果の性能評価）
つぎに、本実施形態の制振装置１００の制振効果の性能評価結果について説明する。
【００７３】
図８のグラフは、構造物１０における水平振動に関する性能評価曲線（風揺れ体感に対する知覚確率）を示している（日本建築学会「建築物の振動に関する居住性能評価指針」等を参照）。そして、この図８に示されているように、制振装置１００を設けることによって、第一付加マスダンパー２００の制振効果により、風荷重による構造物１０の風揺れが半減され、居住性が大幅に向上される。
【００７４】
図９は、大地震時における構造物１０の層間変形角を示している。そして、この図９に示されているように、制振装置１００を設けることによって、第二付加マスダンパー３００の制振効果により、高層階の揺れが約２０％低減される。
【００７５】
このように、制振装置１００を設けることで、風荷重による風揺れと大地震の揺れとのの両方において制振効果が発揮されている。つまり、広範囲の入力エネルギーに対して、制振効果が発揮されている。
【００７６】
＜その他＞
なお、本発明は上記実施形態に限定されるものではない。
【００７７】
（抑制手段）
上記実施形態では、第一付加マスダンパー２００の緑化構造体（付加マス）２２０が予め定められた振幅（限界変位）を超えると、ロック機構付オイルダンパー２６０のロック機構が起動し、緑化構造体（付加マス）２２０の振動を止めていたが、これに限定されない。
【００７８】
緑化構造体２２０が防舷材の付いた立ち上がり壁に衝突して止まる機構やシアキーのようなロック機構を別途設けてもよい。要は第一付加マスダンパー２００の緑化構造体（付加マス）２２０が予め定められた振幅（限界変位）を超えると、緑化構造体（付加マス）２２０の動きが抑制されればよい。
【００７９】
同様に、上記実施形態では、第二付加マスダンパー３００のヘリポート（付加マス）３２０が予め定められた振幅（限界変位）を超えると、ロック機構付オイルダンパー３６０のロック機構が起動し、ヘリポート（付加マス）３２０の振動を止めていたが、これに限定されない。
【００８０】
ヘリポート３２０が防舷材の付いた立ち上がり壁に衝突して止まる機構やシアキーのようなロック機構を別途設けてもよい。要は第二付加マスダンパー３００のヘリポート（付加マス）３２０が予め定められた振幅（限界変位）を超えると、ヘリポート（付加マス）３２０の動きが抑制されればよい。
【００８１】
なお、巨大地震の場合でも、設計上、第二付加マスダンパー３００のヘリポート（付加マス）３２０が予め定められた振幅（限界変位）を超えることがなく安全が確保される場合は、第二付加マスダンパー３００のヘリポート（付加マス）３２０の動きを抑制する抑制手段が設けられていなくでもよい。
【００８２】
また、上記実施形態では、第二付加マスダンパー３００は、台風等の強風による風揺れ等の小さな入力エネルギー（加速度）ではヘリポート３２０が振動しない又は殆ど振動しないように各種諸元が設定され、震度４を超えるような中地震等による中程度の入力エネルギー（加速度）でヘリポート３２０が振動し制振効果を発揮するように各種諸元が設定されていたが、これに限定されない。
【００８３】
第二付加マスダンパー３００のヘリポート３２０は、予め定められた入力エネルギー（トリガーレベル）までロックされ、これを超えると、ヘリポート３２０が振動し制振効果を発揮するようなロック機構を設けてもよい。なお、このロック機構を、ロック機構付オイルダンパー３６０に組み込んでもよい。
【００８４】
（同期）
上記実施形態では、第一付加マスダンパー２００の緑化構造体２２０の振動の周期が構造物１０のねじれ１次モードに同調するように諸元が設定され、第二付加マスダンパー３００のヘリポート３２０の振動の周期が構造物１０の短軸方向の1次モードに同調するように各種諸元が設定されているが、これに限定されるものではない。
【００８５】
例えば、第一付加マスダンパー２００の緑化構造体２２０の振動の周期も、第二付加マスダンパー３００と同様に構造物１０の短軸方向の１次モードに同調するように各種諸元を設定してもよい。
【００８６】
また、一次モードではなく、二次以上の高次モードに同調させてもよいし、第一付加マスダンパー２００と第二付加マスダンパー３００とで別々のモードに同調させてもよい。更に、同調をするように諸元が設定されていなくでもよい。
【００８７】
（付加マス）
上記実施形態では、付加マスとして緑化構造体２２０及びヘリポート３２０を利用したが、これに限定されるものではない。例えば、貯水槽、キュービクル、機械室、チャペル、展望スペース等の設備や施設も、付加マスとして利用することができる。
【００８８】
なお、緑化構造体２２０、ヘリポート３２０、及び上記設備や施設を付加マスと利用する場合、別途錘を付加して重量を調整してもよい。
【００８９】
（設置場所）
上記実施形態では、制振装置１００を構成する第一付加マスダンパー２００及び第二付加マスダンパー３００は、いずれも屋上１２に設置したが、これに限定されるものではない。
【００９０】
例えば、構造物１０の中層階に制振装置を設けてもよい。また、制振装置１００を構成する第一付加マスダンパー２００と第二付加マスダンパー３００とを別々の階層に設置してもよい。また、高次モードに同調させる場合には、モードの節となる階層に付加マスダンパーを設置することで、効果的に制振するようにしてもよい。
【００９１】
（構造物）
上記実施形態では、平面視における構造物１０の外形形状は、長方形状であったが、これに限定されるものではない。平面視における外形形状は、楕円形状であってもよい。また、長軸方向（長辺方向、強軸方向）と弱軸方向（短辺方向、弱軸方向）とを有しない外形形状の構造物であってもよい。
【００９２】
（付加マスダンパー）
上記実施形態では、制振装置１００の第一付加マスダンパー２００の緑化構造体（付加マス）２２０と第二付加マスダンパー３００のヘリポート（付加マス）３２０とは、弱軸方向（短辺方向、弱軸方向）に沿って振動するように構成されていたが、これに限定されない。振動方向はどのような方向であってもよい。また、水平方向に自由に振動する構成であってもよい。
【００９３】
（制振装置全体）
上記実施形態では、制振装置１００は、制振効果を発揮する入力エネルギーが小さい第一付加マスダンパー２００と入力エネルギーが大きい第二付加マスダンパー３００とで構成されていたが、これに限定されるものではない。制振効果を発揮する入力エネルギーの大きさが異なる三つ以上の付加マスダンパーを有する構成であってもよい。
【００９４】
そして、三つ以上の付加マスダンパーが、入力エネルギーが大きくなるに従って、順次制振効果を発揮し、且つ順次付加マスの動きが抑制されるように構成されていればよい。
【００９５】
つまり、制振効果を発揮する入力エネルギーの大きさが異なる複数の付加マスダンパーと、制振効果を発揮する入力エネルギーが小さい順に前記付加マスダンパーを構成する付加マスの動きを抑制する抑制手段（別の観点から説明すると、前記付加マスの振幅が予め定められた閾値を超えると前記付加マスの振幅を抑制するように設定された抑制手段）と、を備えていればよい。
【００９６】
更に、本発明の要旨を逸脱しない範囲において、種々なる態様で実施し得ることは言うまでもない。
【符号の説明】
【００９７】
１０      構造物
１００      制振装置
２００      第一付加マスダンパー
２２０      緑化構造体（付加マスの一例）
２２８      植物
２６０      ロック機構付オイルダンパー（抑制手段の一例）
３００      第二付加マスダンパー
３２０      ヘリポート（付加マスの一例）
３６０      ロック機構付オイルダンパー（抑制手段の一例）
【図１】
2015014150.tif 000004
【図２】
2015014150.tif 000005
【図３】
2015014150.tif 000006
【図４】
2015014150.tif 000007
【図５】
2015014150.tif 000008
【図６】
2015014150.tif 000009
【図９】
2015014150.tif 000010
【図７】
2015014150.tif 000011
【図８】
2015014150.tif 000012